(57)【要約】【課題】  頭位変換眼振検査のような動きの激しい検査であって、特に顔面が仰視を行なう方向に激しい動きのある検査をおこなっても、顔面からの位置ずれが生じ難い眼球検査用ゴーグル提供することにある。【解決手段】  ゴーグル本体１を被検者の顔面Ｆに装着し、取付用ベルト２で固定する眼球観察用ゴーグルであって、取付用ベルト２として、両端がゴーグル本体１の左右両端に取り付けられて頭部側周を締め付けて固定する第１の帯状体２ａと、両端がゴーグル本体１の左右両端もしくは第１の帯状体２ａの左右両側に取り付けられて顎部を締め付けて固定する第２の帯状体２ｂとを有する。【選択図】  図１
2005278670.tif 000002
【特許請求の範囲】
【請求項１】
ゴーグル本体を被検者の顔面に装着し、取付用ベルトで固定する眼球観察用ゴーグルであって、前記取付用ベルトとして、両端がゴーグル本体の左右両端に取り付けられて頭部側周を締め付けて固定する第１の帯状体と、両端がゴーグル本体の左右両端もしくは第１の帯状体の左右両側に取り付けられて顎部を締め付けて固定する第２の帯状体とを有することを特徴とする眼球観察用ゴーグル。
【請求項２】
ゴーグル本体を被検者の顔面に装着し、取付用ベルトで固定する眼球観察用ゴーグルであって、前記取付用ベルトとして、両端がゴーグル本体の左右両端に取り付けられて頭部側周を締め付けて固定する第１の帯状体と、両端がゴーグル本体の左右両端もしくは第１の帯状体の左右両側に取り付けられて盆の窪部近傍を締め付けて固定する第２の帯状体とを有することを特徴とする眼球観察用ゴーグル。
【請求項３】
前記第１の帯状体及び前記第２の帯状体の少なくともいずれかは、伸縮性を有するものであることを特徴とする請求項１もしくは請求項２のいずれかに記載の眼球観察用ゴーグル。
【発明の詳細な説明】
【技術分野】
【０００１】
本発明は、眼球検査用ゴーグルに関するものであり、詳しくは、主に医療機関でめまい検査を行なう際に使用される眼球検査用ゴーグルに関するものである。
【背景技術】
【０００２】
従来の眼球検査用ゴーグルとしては、図３に示すような、撮像カメラ１４Ｒ、１４Ｌを備えたゴーグル本体１２の左右両端に取り付けられたサイドストラップ１５と、ゴーグル本体１２の上端側とサイドストラップ１５の後頭部側との間に連結されたトップストラップ１６を締め付けて、ゴーグル本体１２を顔面に装着し、サイドストラップ１５を締め付けることによりゴーグル本体１２の左右方向の振れが防止され、トップストラップ１６を頂頭部に引っ掛けて締め付けるものが知られている。このような眼球検査用ゴーグルでは、ゴーグル本体１２の上下方向の振れが防止されると同時に、顔面からの擦り落ちが防止されるので、撮像カメラを備えたゴーグル本体１２を顔面に装着して眼球を撮影するときにその眼球画像がブレないようにゴーグル本体１２を顔面に確実に装着することができる（特許文献１）。
【０００３】
ところで、めまいの検査方法のひとつとして、フレンツェル眼鏡（内部に小電球がついた凸レンズの眼鏡）を用いて、急激に頭を前後や左右に動かしたときの眼の揺れの観察を行なう頭位変換眼振検査があり、内部にフレンツェル眼鏡を内蔵した眼球検査用ゴーグルを装着してこの検査を行なう場合には、重量が大きいゴーグル本体を装着して激しい動きを行なうため、検査中にゴーグル本体が本来の位置からずれてしまい、適切な眼球観察が行なえず、上述したような従来の眼球検査用ゴーグルであっても、激しい上下動、特に、急激に上方を見るような激しい顔面の動きが生じた場合には、同様に検査中にゴーグル本体が本来の位置からずれてしまうという問題点を有していた。
【特許文献１】特開２０００−３２５３１３号公報
【発明の開示】
【発明が解決しようとする課題】
【０００４】
本発明は、このような点に鑑みてなされたものであり、その目的とするところは、頭位変換眼振検査のような動きの激しい検査であって、特に顔面が仰視を行なう方向に激しい動きのある検査をおこなっても、顔面からの位置ずれが生じ難い眼球検査用ゴーグル提供することである。
【課題を解決するための手段】
【０００５】
上記した課題を解決するために、本発明の請求項１に係る眼球検査用ゴーグルは、ゴーグル本体を被検者の顔面に装着し、取付用ベルトで固定する眼球観察用ゴーグルであって、前記取付用ベルトとして、両端がゴーグル本体の左右両端に取り付けられて頭部側周を締め付けて固定する第１の帯状体と、両端がゴーグル本体の左右両端もしくは第１の帯状体の左右両側に取り付けられて顎部を締め付けて固定する第２の帯状体とを有することを特徴とする。
【０００６】
本発明の請求項２に係る眼球検査用ゴーグルは、ゴーグル本体を被検者の顔面に装着し、取付用ベルトで固定する眼球観察用ゴーグルであって、前記取付用ベルトとして、両端がゴーグル本体の左右両端に取り付けられて頭部側周を締め付けて固定する第１の帯状体と、両端がゴーグル本体の左右両端もしくは第１の帯状体の左右両側に取り付けられて盆の窪部近傍を締め付けて固定する第２の帯状体とを有することを特徴とする。
【０００７】
本発明の請求項３に係る眼球検査用ゴーグルは、前記第１の帯状体及び前記第２の帯状体の少なくともいずれかが、伸縮性を有するものであることを特徴とする。
【発明の効果】
【０００８】
本発明の請求項１に係る眼球検査用ゴーグルによると、取付用ベルトとして、両端がゴーグル本体の左右両端に取り付けられて頭部側面側を締め付けて固定する第１の帯状体と、両端がゴーグル本体の左右両端もしくは第１の帯状体の左右両側に取り付けられて顎部を締め付けて固定する第２の帯状体とを有するので、第１の帯状体で固定することにより左右方向や前後方向への揺れが規制され、ゴーグル本体の顔面からの位置ずれを防止することができ、第２の帯状体で固定することにより上下方向の揺れが規制され、ゴーグル本体の顔面からの位置ずれを防止することができる。そのため、頭位変換眼振検査のような動きの激しい検査であって、特に急激に上方を見るような激しい顔面の動きのある検査をおこなっても、顔面からの位置ずれが生じ難くなる。
【０００９】
この請求項２に係る眼球検査用ゴーグルによると、取付用ベルトはとして、両端がゴーグル本体の左右両端に取り付けられて頭部側面側を締め付けて固定する第１の帯状体と、両端がゴーグル本体の左右両端もしくは第１の帯状体の左右両側に取り付けられて盆の窪部近傍を締め付けて固定する第２の帯状体とを有するので、第１の帯状体及び第２の帯状体の双方で、頭部の異なる側面部位を締め付けることになり、締付け力がより強固となる。そのため、左右方向や前後方向のみならず上下方向の運動に対しても、ゴーグル本体の顔面からの位置ずれを防止することができる。そのため、頭位変換眼振検査のような動きの激しい検査であって、特に急激に上方を見るような激しい顔面の動きのある検査をおこなっても、顔面からの位置ずれが生じ難くなる。
【００１０】
この請求項３に係る眼球検査用ゴーグルによると、請求項１もしくは請求項２の効果に加えて、第１の帯状体及び第２の帯状体の少なくともいずれかは、伸縮性を有するものであるので、ゴーグル本体と顔面との接触部の密着力が一層向上する。
【発明を実施するための最良の形態】
【００１１】
（実施形態１）
本発明の第１の実施形態を図１（ａ）〜（ｃ）に基づいて詳細に説明する。なお、本実施形態では眼振計に用いられるゴーグルについて説明を行なうが、本願発明はこれに限定されるものではない。
【００１２】
図１において、１はゴーグル本体、２は取付用ベルト、２ａは第１の帯状体、２ｂ、２ｄは第２の帯状体、２ｃは第３の帯状体、Ｆは被検者の顔面である。
【００１３】
図１は、本実施形態におけるゴーグル本体１を被験者の顔面Ｆに装着し、取付用ベルト２にて固定した場合の側面図である。同図（ａ）に示すように、ゴーグル本体１は、被検者の目の動きに影響を及ぼす周囲の光が侵入しないように、被検者の眼部周辺を覆うように装着され、取付用ベルト２により被検者の顔面Ｆに固定されている。また、ゴーグル本体１の装着面には、装着性及び装着感の向上のため、図示しないスポンジが貼着されている。スポンジは、肌にやさしく、軽量で弾力性がある等、人体への装着に適したウレタンスポンジが好適に用いられる。
【００１４】
取付用ベルト２は、ゴーグル本体１の左右両端に取り付けられて頭部側周を締め付けて固定する第１の帯状体２ａと、ゴーグル本体１の左右両端もしくは第１の帯状体２ａの左右両側に取り付けられて顎部を締め付けて固定する第２の帯状体２ｂとから構成される。いずれの帯状体２ａ、２ｂも、それぞれ伸縮性を有する一本のゴムバンドから形成されている。
【００１５】
以上のように、取付用ベルト２は、両端がゴーグル本体１の左右両端に取り付けられて頭部側面側を締め付けて固定する第１の帯状体２ａと、両端がゴーグル本体１の左右両端もしくは第１の帯状体２ａの左右両側に取り付けられて顎部を締め付けて固定する第２の帯状体２ｂとを有するので、第１の帯状体２ａで固定することにより左右方向や前後方向への揺れが規制され、ゴーグル本体１の顔面Ｆからの位置ずれを防止することができ、第２の帯状体２ｂで固定することにより上下方向の揺れが規制され、ゴーグル本体１の顔面からの位置ずれを防止することができる。そのため、頭位変換眼振検査のような動きの激しい検査であって、特に急激に上方を見るような激しい顔面の動きのある検査をおこなっても、顔面からの位置ずれが生じ難くなる。
【００１６】
また、第１の帯状体２ａ及び第２の帯状体２ｂは、伸縮性を有するものであるので、ゴーグル本体１と被検者の顔面Ｆとの接触部の密着力が一層向上する。なお、以下に述べる同図（ｂ）及び（ｃ）に示すもの及び他の実施形態においても、同様の効果を奏するものである。
【００１７】
なお、本実施形態における各帯状体は２ａ、２ｂは、それぞれ一本のゴムバンドから形成されているものであったが、これに限定されるものではなく、一端がゴーグル本体１の左右それぞれの端部に取りつけられ、他端にそれぞれが結合する係止具を備えたような二本のゴムバンドから形成されるものであってもよい。また、各帯状体２ａ、２ｂが、伸縮性のない２本の帯部から構成され、それぞれの帯部は一端がゴーグル本体１や他の帯状体に固定されるとともに、それぞれの他端はバンド係止具に連結されているものであってもよい。この場合の各帯状体２ａ、２ｂは、各帯部の他端側にはタッチ・クローズ型のファスナーが付設され、また、バンド係止具は、帯部の他端を挿通するための複数のスリットを有しており、そのスリットに各帯部の他端を挿通させて、長さを調整して締め付け力を調整した状態で折り返して、タッチ・クローズ型のファスナー同士を係着させて固定するものであってもよく、以下に述べる同図（ｂ）及び（ｃ）に示すもの及び他の実施形態においても同様である。
【００１８】
また、同図（ｂ）に示すように、第１の帯状体２ａの後頭部側の左右両側面から顎部内側にかけて、第３の帯状体２ｃが形成されて、第１の帯状体２ａ、第２の帯状体２ｂ及び第３の帯状体２ｃによって被検者の耳が囲まれているような配置となっている。このようにすることで、第３の帯状体２ｃは、第２の帯状体２ｂとは別の方向から顎部を締め付けて、上下方向に対する揺れの規制が一層強固となる。
【００１９】
さらに、同図（ｃ）に示すように、第２の帯状体２ｄが、同図（ａ）における第２の帯状体２ｂをさらに頭頂部に向かって延設して、顎部のみならず頭頂部をも固定するものであってもよい。この場合は、顎部及び頭頂部の２箇所を固定しているため、上下方向に対する揺れの規制が一層強固となる。
【００２０】
（実施形態２）
つぎに、本発明の第２の実施形態を図２（ａ）〜（ｃ）に基づいて詳細に説明する。なお、本実施形態では眼振計に用いられるゴーグルについて説明を行なうが、本願発明はこれに限定されるものではない。
【００２１】
図２において、１はゴーグル本体、２は取付用ベルト、２ａは第１の帯状体、２ｅ、２ｆ、２ｇは第２の帯状体、Ｆは被検者の顔面である。
【００２２】
図２は、本実施形態におけるゴーグル本体１を被験者の顔面Ｆに装着し、取付用ベルト２にて固定した場合の側面図である。同図（ａ）に示すように、ゴーグル本体１は、被検者の目の動きに影響を及ぼす周囲の光が侵入しないように、被検者の眼部周辺を覆うように装着され、取付用ベルト２により被検者の顔面Ｆに固定されている。また、ゴーグル本体１の装着面には、装着性及び装着感の向上のため、図示しないスポンジが貼着されている。
【００２３】
取付用ベルト２は、ゴーグル本体１の左右両端に取り付けられて頭部側周を締め付けて固定する第１の帯状体２ａと、ゴーグル本体１の左右両端もしくは第１の帯状体の左右両側に取り付けられて盆の窪部近傍を締め付けて固定する第２の帯状体２ｅとから構成される。いずれの帯状体も伸縮性を有する一本のゴムベルトから形成されている。
【００２４】
このような構成とすることにより、取付用ベルト２は、ゴーグル本体１の左右両端に取り付けられて頭部側面側を締め付けて固定する第１の帯状体２ａと、ゴーグル本体１の左右両端もしくは第１の帯状体２ａの左右両側に取り付けられて盆の窪部近傍を締め付けて固定する第２の帯状体２ｅとを有するので、第１の帯状体２ａ及び第２の帯状体２ｅの双方で、頭部の異なる側面部位を締め付けることになり、締付け力がより強固となる。そのため、左右方向や前後方向のみならず上下方向の運動に対しても、ゴーグル本体１の顔面Ｆからの位置ずれを防止することができる。そのため、頭位変換眼振検査のような動きの激しい検査であって、特に顔面が仰視を行なう方向に激しい動きのある検査をおこなっても、顔面からの位置ずれが生じ難くなる。
【００２５】
また、第１の帯状体２ａと第２の帯状体２ｅとは、この２つの帯状体で被検者の耳を挟むように締めつけられている。すなわち、第１の帯状体２ａは被検者の耳上を通って頭部側周を締め付け、第２の帯状体２ｅは被検者の耳下を通っての窪部近傍を締め付けている。そのため、顔面の激しい運動により第１の帯状体２ａが下方にずれそうになる場合であっても、上側の耳の付け根に引っ掛かり、第１の帯状体２ａが下方にずれそうになる場合であっても、下側の耳の付け根に引っ掛かり、顔面からの位置ずれ防止の効果が一層顕著なものとなる。
【００２６】
また、同図（ｂ）に示すように、別の第２の帯状体２ｆの両端が、第１の帯状体２ａにおける被検者の両耳部の上方近傍に接続されて、盆の窪部を締め付けるものであってもよい。
【００２７】
さらに、同図（ｃ）に示すように、同図（ｂ）における第２の帯状体２ｆの両端が延出して前頭部をも締め付けるように形成された第２の帯状体２ｇを好適に用いることができる。この場合は、前頭部から盆の窪部にかけての全周を締め付けることができるので、同図（ｂ）の場合に比べて締め付け力が一層強固となる。
【図面の簡単な説明】
【００２８】
【図１】第１の実施形態におけるゴーグル本体を被験者の顔面Ｆに装着し、取付用ベルトにて固定した場合の側面図である。
【図２】第２の実施形態におけるゴーグル本体を被験者の顔面Ｆに装着し、取付用ベルトにて固定した場合の側面図である。
【図３】従来例の概略を示す斜視図である。
【符号の説明】
【００２９】
１    ゴーグル本体
２    取付用ベルト
２ａ  第１の帯状体
２ｂ  第２の帯状体
Ｆ    被検者の顔面
【図１】
2005278670.tif 000003
【図２】
2005278670.tif 000004
【図３】
2005278670.tif 000005